(57)【特許請求の範囲】
【請求項１】
一面に粘着面を、他面に非粘着面をそれぞれ有する粘着テープを引き出すテープ引き出し装置であり、
雄螺子の一部に形成された軸方向の逃げ部を有するローラ支持軸と、
前記ローラ支持軸の雄螺子に噛み合う雌螺子を有し、前記粘着面が接触して前記粘着テープの引き出しに伴って回転し、かつ回転に伴って前記ローラ支持軸上を引き出し方向に移動して前記粘着テープの引き出し長さを設定する引き出し長さ設定ローラと、
前記引き出し長さ設定ローラを前記引き出し方向とは反対方向に付勢する付勢部材とを備え、
前記引き出し長さ設定ローラは、
前記粘着テープの引き出しの引っ張り力によって、前記雌螺子が前記ローラ支持軸の雄螺子に噛み合い回転し、かつ回転に伴って前記ローラ支持軸上を引き出し方向に移動し、
前記粘着テープの引っ張り力が緩むと、前記付勢部材の付勢力により前記雌螺子が前記ローラ支持軸の雄螺子から外れるとともに、前記逃げ部が軸方向の移動を可能とし、前記引き出し方向とは反対方向の初期位置に復帰することを特徴とするテープ引き出し装置。
【請求項２】
前記引き出し長さ設定ローラの引き出し方向側に停止用爪を設け、
前記停止用爪に対向して遊動可能に停止部材を配置し、
前記停止部材は、前記停止用爪と係合して前記引き出し長さ設定ローラの回転を停止する係合爪を有することを特徴とする請求項１に記載のテープ引き出し装置。
【請求項３】
前記停止用爪と前記係合爪との間隔を調整して前記粘着テープの引き出し長さを調整する引き出し長さ調整手段を有することを特徴とする請求項１または請求項２に記載のテープ引き出し装置。
【請求項４】
一面に粘着面を、他面に非粘着面をそれぞれ有する粘着テープを収納可能な収納部と、
請求項１乃至請求項３のいずれか１項に記載のテープ引き出し装置と、
引き出された前記粘着テープを切断する切断刃とを備えることを特徴とするテープカッタ装置。
【発明の詳細な説明】
【技術分野】
【０００１】
この発明は、粘着テープを繰り返し一定の長さ引き出し可能なテープ引き出し装置及びテープカッタ装置に関する。
【背景技術】
【０００２】
従来のテープカッタ装置は、一面に粘着面を、他面に非粘着面をそれぞれ有する粘着テープを収納可能な収納部と、粘着テープの粘着面側に回動可能に配置され、収納部から指で摘んで引き出された粘着テープを切断する切断刃とを備えた構成になっているものがある（特許文献１）。
【０００３】
このように構成される従来技術にあっては、例えば定型の封筒、または定型外の封筒などに粘着テープを貼り付けて封をすることがあるが、その都度定型の封筒、または定型外の封筒の封をする領域の全長に相当する長さとなるように、粘着テープの先端部を指先で摘んで引き出して切断し、切断した粘着テープを貼り付けることが行われる。
【先行技術文献】
【特許文献】
【０００４】
【特許文献１】特許第２９５８３３１号公報
【発明の概要】
【発明が解決しようとする課題】
【０００５】
ところで、粘着テープを繰り返し一定の長さ引き出して切断して使用する場合には、眼検討で一定の長さを目安として手作業で引き出しており、作業能率を向上させることができないとともに、正確に粘着テープを繰り返し一定の長さ引き出して切断することが困難であった。
【０００６】
この発明は、かかる実情に鑑みなされたもので、簡単な構成で、正確に粘着テープを一定の長さ引き出し可能なテープ引き出し装置及びテープカッタ装置を提供することを目的とする。
【課題を解決するための手段】
【０００７】
前記課題を解決し、かつ目的を達成するために、この発明は、以下のように構成した。
【０００８】
請求項１に記載の発明は、一面に粘着面を、他面に非粘着面をそれぞれ有する粘着テープを引き出すテープ引き出し装置であり、雄螺子の一部に形成された軸方向の逃げ部を有するローラ支持軸と、前記ローラ支持軸の雄螺子に噛み合う雌螺子を有し、前記粘着面が接触して前記粘着テープの引き出しに伴って回転し、かつ回転に伴って前記ローラ支持軸上を引き出し方向に移動して前記粘着テープの引き出し長さを設定する引き出し長さ設定ローラと、前記引き出し長さ設定ローラを前記引き出し方向とは反対方向に付勢する付勢部材とを備え、前記引き出し長さ設定ローラは、前記粘着テープの引き出しの引っ張り力によって、前記雌螺子が前記ローラ支持軸の雄螺子に噛み合い回転し、かつ回転に伴って前記ローラ支持軸上を引き出し方向に移動し、前記粘着テープの引っ張り力が緩むと、前記付勢部材の付勢力により前記雌螺子が前記ローラ支持軸の雄螺子から外れるとともに、前記逃げ部が軸方向の移動を可能とし、前記引き出し方向とは反対方向の初期位置に復帰することを特徴とするテープ引き出し装置である。
【０００９】
請求項２に記載の発明は、前記引き出し長さ設定ローラの引き出し方向側に停止用爪を設け、前記停止用爪に対向して遊動可能に停止部材を配置し、前記停止部材は、前記停止用爪と係合して前記引き出し長さ設定ローラの回転を停止する係合爪を有することを特徴とする請求項１に記載のテープ引き出し装置である。
【００１０】
請求項３に記載の発明は、前記停止用爪と前記係合爪との間隔を調整して前記粘着テープの引き出し長さを調整する引き出し長さ調整手段を有することを特徴とする請求項１または請求項２に記載のテープ引き出し装置である。
【００１１】
請求項４に記載の発明は、一面に粘着面を、他面に非粘着面をそれぞれ有する粘着テープを収納可能な収納部と、請求項１乃至請求項３のいずれか１項に記載のテープ引き出し装置と、引き出された前記粘着テープを切断する切断刃とを備えることを特徴とするテープカッタ装置である。
【発明の効果】
【００１２】
請求項１に記載の発明では、引き出し長さ設定ローラは、粘着テープの引き出しの引っ張り力によって、雌螺子がローラ支持軸の雄螺子に噛み合い回転し、かつ回転に伴ってローラ支持軸上を引き出し方向に移動し、粘着テープの引っ張り力が緩むと、付勢部材の付勢力により雌螺子がローラ支持軸の雄螺子から外れるとともに、逃げ部が軸方向の移動を可能とし、引き出し方向とは反対方向の初期位置に復帰することで、簡単な構成で、粘着テープを一定の長さ引き出すことができる。
【００１３】
請求項２に記載の発明では、引き出し長さ設定ローラの引き出し方向側に設けた停止用爪が、停止部材の係合爪に係合し、引き出し長さ設定ローラの回転を停止することができる。
【００１４】
請求項３に記載の発明では、停止用爪と係合爪との間隔を調整することで、粘着テープの引き出し長さを調整することができる。
【００１５】
請求項４に記載の発明では、収納部から請求項１乃至請求項３のいずれか１項に記載のテープ引き出し装置を用いて粘着テープを一定長さ引き出し、切断刃によって切断することができる。
【図面の簡単な説明】
【００１６】
【図１】テープ引き出し装置の正面図である。
【図２】ローラ支持軸の逃げ部を有する部分の斜視図である。
【図３】粘着テープによる引き出し長さ設定の作動を説明する図である。
【図４】引き出し長さ設定ローラとローラ支持軸との噛み合いを説明する図である。
【図５】テープカッタ装置の斜視図である。
【発明を実施するための形態】
【００１７】
以下、この発明のテープ引き出し装置及びテープカッタ装置の実施の形態について説明する。この発明の実施の形態は、発明の最も好ましい形態を示すものであり、この発明はこれに限定されない。
【００１８】
［テープ引き出し装置］
この実施の形態のテープ引き出し装置Ａを、図１乃至図４に基づいて説明する。このテープ引き出し装置Ａは、引き出し長さ設定手段Ａ１と、作動停止手段Ａ２と、引き出し長さ調整手段Ａ３と、初期位置復帰手段Ａ４を有し、これらは取付台１０に備えられ、一面に粘着面を、他面に非粘着面をそれぞれ有する粘着テープＴを引き出す。取付台１０は、その下部１１を、例えばテープカッタ装置Ｂにあてがいビスなどによって締付固定して取付可能である。
【００１９】
引き出し長さ設定手段Ａ１は、粘着テープＴの引き出しにより回転するとともに回転軸方向に移動し粘着テープＴの引き出し長さを設定する構成であり、ガイドバー２０と、ローラ支持軸３０と、引き出し長さ設定ローラ４０とを有する。
【００２０】
ガイドバー２０は、例えば樹脂で形成され、取付台１０の柱部１３に水平方向に固定した支持軸２１に固定し、引き出し長さ設定ローラ４０のローラ支持軸３０への押し付け圧力を増加するため粘着テープＴへの摩擦抵抗を増すようにしているが、回転可能に支持してもよい。
【００２１】
ローラ支持軸３０は、雄螺子３１が形成されているが、この雄螺子３１の一部に逃げ部３２を有し、この逃げ部３２によって引き出し長さ設定ローラ４０がスライドして軸方向に移動することを可能にする。この逃げ部３２は、雄螺子３１の軸方向移動範囲の３平面を加工して形成しているが、引き出し長さ設定ローラ４０がスライドして軸方向に移動することを可能が形状ならば特に限定されない。
【００２２】
引き出し長さ設定ローラ４０は、ローラ支持軸３０の雄螺子３１に噛み合う雌螺子４１を有し、かつ外表面４２にはスプラインを有する。この引き出し長さ設定ローラ４０は、外表面４２のスプラインに粘着テープＴの粘着面が接触して粘着テープＴの引き出しに伴って回転し、かつ回転に伴ってローラ支持軸３０上を引き出し方向に移動して粘着テープＴの引き出し長さを設定する。引き出し長さ設定ローラ４０は、外表面４２のスプラインによって粘着テープＴの粘着面が確実に接触して正確に回転する。
【００２３】
作動停止手段Ａ２は、引き出し長さ設定手段Ａ１の作動を停止する構成であり、停止部材６０を有する。引き出し長さ設定ローラ４０には、引き出し方向側に停止用爪４３が設けられ、この停止用爪４３に対向して停止部材６０が配置されている。
【００２４】
この停止部材６０は、円筒状スリーブで形成され、ローラ支持軸３０に遊動可能に設けられている。停止部材６０には、停止用爪４３と係合する係合爪６１を有し、円筒状スリーブの端部を斜めに切断し、この切断面に係合爪６１が形成されている。引き出し長さ設定ローラ４０が引き出し方向に移動し、停止用爪４３が停止部材６０の切断面を押すことで、停止部材６０が遊動して停止用爪４３が係合爪６１に噛み合い、引き出し長さ設定ローラ４０の回転を停止する。
【００２５】
取付台１０の柱部１３には、その上部に保持部材６２が固定され、この保持部材６２の先端が停止部材６０に当接しており、引き出しが終了して粘着テープＴの引っ張り力を緩めると、引き出し長さ設定ローラ４０によって押されて遊動した停止部材６０を元の位置に復帰させる。
【００２６】
すなわち、引き出しが終了して粘着テープＴの引っ張り力を緩めると、引き出し長さ設定ローラ４０によって押されて遊動した停止部材６０を元の位置に復帰させ、かつ付勢部材５０の付勢力により雌螺子４１がローラ支持軸３０の雄螺子３１から外れるとともに、逃げ部３２が軸方向の移動を可能とし、引き出し方向とは反対方向に移動して初期位置に復帰する。
【００２７】
初期位置復帰手段Ａ４は、引き出し長さ設定手段Ａ１の作動を停止した後引き出し長さ設定手段Ａ１を初期位置に復帰させる構成であり、付勢部材５０を有する。付勢部材５０は、コイルスプリングで構成され、引き出し長さ設定ローラ４０と、停止部材６０との間に配置され、引き出し長さ設定ローラ４０を引き出し方向とは反対方向に付勢する。
【００２８】
引き出し長さ調整手段Ａ３は、粘着テープＴの引き出し長さを調整する構成であり、引き出し長さ調整手段Ａ３は、スペーサ７１と、調整螺子７２と、ストッパー７３から構成される。停止用爪４３と係合爪６１との間隔Ｌを調整して粘着テープの引き出し長さを調整する。スペーサ７１は、ローラ支持軸３０に挿通して引き出し長さ設定ローラ４０と調整螺子７２との間に配置している。調整螺子７２は、ローラ支持軸３０に螺着され、調整螺子７２を回転してローラ支持軸３０を移動することで、スペーサ７１を介して引き出し長さ設定ローラ４０を移動する。ストッパー７３は、柱部１３の下部に固定され、先端部７３ａが調整螺子７２の外周面に係合し、調整螺子７２が緩まないようにして所定の位置に保持する。
【００２９】
取付台１０に、引き出し長さ設定手段Ａ１と、作動停止手段Ａ２と、引き出し長さ調整手段Ａ３とを備え、この取付台１０は、粘着テープＴを切断する切断刃を備えるテープカッタ装置Ｂに取付可能である。
【００３０】
この実施の形態のテープ引き出し装置Ａの作動について説明すると、粘着テープＴの非粘着面をガイドバー２０に接触させ（図３（ａ））、粘着面を引き出し長さ設定ローラ４０に接触させて粘着テープＴを引き出す（図３（ｂ））。この粘着テープＴの引き出しの引っ張り力によって、引き出し長さ設定ローラ４０の雌螺子４１がローラ支持軸３０の雄螺子３１に噛み合あっていない状態から（図４（ａ））、雌螺子４１がローラ支持軸３０の雄螺子３１に噛み合う状態になり（図４（ｂ））、引き出し長さ設定ローラ４０が回転し、かつ回転に伴ってローラ支持軸３０上を引き出し方向に移動する。
【００３１】
この引き出し長さ設定ローラ４０がローラ支持軸３０上を引き出し方向に移動することで、引き出し長さ設定ローラ４０の引き出し方向側に設けた停止用爪４３が停止部材６０の切断面を押す。これによって、停止部材６０が遊動して停止用爪４３が係合爪６１に噛み合い、引き出し長さ設定ローラ４０の回転を簡単かつ確実に停止することがでる。
【００３２】
この粘着テープＴの引き出し長さは、
引き出し長さ設定ローラ４０の外周×（間隔Ｌ／ローラ支持軸３０の雄螺子３１の螺子ピッチ）である。
【００３３】
このようにして、粘着テープＴの引き出しが終了すると、粘着テープＴを切断して使用し、再度粘着テープＴを引き出すために、粘着テープＴの引っ張り力を緩めると、保持部材６２の先端が停止部材６０に当接しており、引き出し長さ設定ローラ４０によって押されて遊動した停止部材６０を元の位置に復帰させるとともに、付勢部材５０の付勢力により引き出し長さ設定ローラ４０が引き出し方向とは反対方向に押され、図４（ｂ）に示すように、雌螺子４１がローラ支持軸３０の雄螺子３１から外れるとともに、逃げ部３２が軸方向の移動を可能とし、引き出し方向とは反対方向の初期位置に復帰し、停止用爪４３と係合爪６１との間隔Ｌが確保される。
【００３４】
再度、粘着テープＴを引き出すと、粘着テープＴの引き出しの引っ張り力によって、引き出し長さ設定ローラ４０の雌螺子４１がローラ支持軸３０の雄螺子３１に噛み合い回転し、かつ回転に伴ってローラ支持軸３０上を引き出し方向に移動し、繰り返し粘着テープＴを一定の長さ引き出すことができる。
【００３５】
また、引き出し長さ設定ローラ４０の引き出し方向側に設けた停止用爪４３が、停止部材６０の係合爪６１に係合し、簡単かつ確実に引き出し長さ設定ローラ４０の回転を停止することができる。
【００３６】
また、引き出し長さ調整手段Ａ３によって、停止用爪４３と係合爪６１との間隔Ｌを調整することで、簡単かつ確実に粘着テープＴの引き出し長さを調整することができる。
【００３７】
［テープカッタ装置］
この実施の形態のテープカッタ装置Ｂを、図５に基づいて説明する。このテープカッタ装置Ｂは、一面に粘着面を、他面に非粘着面をそれぞれ有する粘着テープＴを収納可能な収納部１００と、この実施の形態のテープ引き出し装置Ａと、引き出された粘着テープＴを切断する切断刃１０１とを備える。
【００３８】
このテープ引き出し装置Ａは、テープカッタ装置Ｂの収納部１００と切断刃１０１との間に配置し、取付台１０を例えばビスによって締付固定する。このテープカッタ装置Ｂは、新規なものでも、既存のものでもよい。
このテープカッタ装置Ｂでは、収納部１００からテープ引き出し装置Ａを用いて粘着テープＴを一定長さ引き出し、切断刃１０１によって切断することができる。
【産業上の利用可能性】
【００３９】
この発明は、テープ引き出し装置及びテープカッタ装置に適用可能であり、簡単な構成で、正確に粘着テープを繰り返し一定の長さ引き出すことができる。  
【符号の説明】
【００４０】
Ａ  テープ引き出し装置
Ａ１  引き出し長さ設定手段
Ａ２  作動停止手段
Ａ３  引き出し長さ調整手段
Ａ４  初期位置復帰手段
Ｂ  テープカッタ装置
Ｔ  粘着テープ
１０  取付台
２０  ガイドバー
３０  ローラ支持軸
３１  雄螺子
３２  逃げ部
４０  引き出し長さ設定ローラ
４１  雌螺子
４２  外表面
４３  停止用爪
５０  付勢部材
６０  停止部材
６１  係合爪
７１  スペーサ
７２  調整螺子
７３  ストッパー
１００  収納部
１０１  切断刃
【要約】      （修正有）【課題】簡単な構成で、正確に粘着テープを繰り返し一定の長さ引き出すことができる。【解決手段】一面に粘着面を、他面に非粘着面をそれぞれ有する粘着テープＴを引き出すテープ引き出し装置Ａであり、粘着テープＴの引き出しにより回転するとともに回転軸方向に移動し粘着テープＴの引き出し長さを設定する引き出し長さ設定手段Ａ１と、引き出し長さ設定手段の作動を停止する作動停止手段Ａ２と、粘着テープＴの引き出し長さを調整する引き出し長さ調整手段Ａ３を有する。また、引き出し長さ設定手段Ａ１の作動を停止した後引き出し長さ設定手段Ａ１を初期位置に復帰させる初期位置復帰手段Ａ４を有する。【選択図】図１【図１】
0004753266.tif 000002
【図２】
0004753266.tif 000003
【図３】
0004753266.tif 000004
【図４】
0004753266.tif 000005
【図５】
0004753266.tif 000006